(57)【要約】【課題】  比較的簡素な小型の構造で待機電源の維持を要する機器と、待機電源の維持を要しない機器を、異なる回路に接続することが可能であり、且つ待機電源の維持を要しない機器への電力供給を一括遮断することができるタップ及びコンセントの提供。【解決手段】  複数のソケット１を備える単相二線式電源系統のタップであって、単相二線式電源系統のソケット１に接続する電源プラグを備え、前記電源プラグを介して接続する二線のうちの一本に繋がる共用回路２ａを備え、前記電源プラグを介して接続する二線のうちの他の一本から二つに分岐した二つの選択回路２ｂ，２ｃを備え、各ソケット１に、共用回路２ａに接続した単一の共用端子４ａと、各選択回路２ｂ，２ｃに各々接続した二つの選択端子４ｂ，４ｃを備え、各ソケット１の端子は、共用端子４ａを中央に配置し、その左右両側に選択端子４ｂ，４ｃを配置し、各端子の間隔を、電源プラグが備える一対の接続刃の間隔に等しく設定したことを特徴とする。【選択図】      図１
2011234460.tif 000002
【特許請求の範囲】
【請求項１】
複数のソケットを備える単相二線式電源系統のタップであって、
単相二線式電源系統のソケットに接続する電源プラグを備え、
前記電源プラグを介して接続する二線のうちの一本に繋がる共用回路を備え、
前記電源プラグを介して接続する二線のうちの他の一本から二つに分岐した二つの選択回路を備え、
各ソケットに、共用回路に接続した単一の共用端子と、各選択回路に各々接続した二つの選択端子を備え、
各ソケットの端子は、共用端子を中央に配置し、その左右両側に選択端子を配置し、各端子の間隔を、電源プラグが備える一対の接続刃の間隔に等しく設定したことを特徴とするタップ。
【請求項２】
何れか一方の選択端子に供給する電源を一括して遮断するスイッチを備えることを特徴とする前記請求項１に記載のタップ。
【請求項３】
複数のソケットを備える単相二線式電源系統のコンセントであって、
単相二線のうちの一本に繋がる共用回路を備え、
他の一本を更に二線に分岐した二つの選択回路を備え、
何れか一方の選択回路に、その選択端子に供給する電源を一括して遮断するスイッチを備え、
各ソケットに、共用回路に接続した単一の共用端子と、各選択回路に各々接続した二つの選択端子を備え、
各ソケットの端子は、共用端子を中央に配置し、その左右両側に選択端子を配置し、各端子の間隔を、電源プラグが備える一対の刃の間隔に等しく設定したことを特徴とするコンセント。
【請求項４】
筐体内の共用回路及び選択回路に、単相二線を接続する引込端子を備えることを特徴とする前記請求項３に記載のコンセント。
【請求項５】
何れか一方の選択端子に供給する電源を一括して遮断するスイッチを備えることを特徴とする前記請求項３又は請求項４のいずれかに記載のコンセント。
【請求項６】
前記請求項１乃至請求項５のいずれかに記載のタップ又はコンセントのソケットに接続する中継タップであって、
前記ソケットの共用端子及び二つの選択端子と各々連結する共用刃及び選択刃を備え、
前記共用刃及びいずれか一方の選択刃と各々接続する二つの端子を有する電源プラグ接続用のソケットを備え、
筐体の表面に、ソケットの端子に連結する選択刃の所在を示す印を備えることを特徴とする中継タップ。
【請求項７】
二系統三線式回路のソケットに接続する共用刃及び二つの選択刃、それらに各々繋がる共用回路及び二つの選択回路、当該二つの選択回路の間を電気的に導通又は遮断し得るスイッチ、並びにそれらを支持する筐体を備える中継スイッチ。
【請求項８】
前記筐体内の共用回路、及び二つの選択回路のいずれか一方に各々接続する単相二線式の端子を有する単数又は複数のソケットを備えることを特徴とする前記請求項７に記載の中継スイッチ。
【発明の詳細な説明】
【技術分野】
【０００１】
本発明は、屋内における単相二線式電源系統において、主電源を切断すべき電気機器への電力の供給を一括して遮断し、待機電力を維持すべき機器への電力の供給を維持する機能を持ったタップ及びコンセントに関する。
【背景技術】
【０００２】
一般家庭における電化製品において、内部時計機能等を維持すべく待機電力を必要とする機器がある一方で、携帯電話充電器等のＡＣアダプターや電気ストーブやトースターの様に、使用していない場合には省エネの観点からプラグをコンセントから抜き、電源の供給を遮断すべき電気機器がある。
例えば、パーソナルコンピュータ（以下ＰＣと記す）周りの延長コード延長タップにあっては、ディスプレイ、プリンタ、スキャナ、アンプ付スピーカやノートパソコンなど、使用時以外は電源を切断して構わないものと、インターネット回線機器、デスクトップＰＣ本体、電話ファクシミリ等の様に、電源を常時接続すべきものが混在する形で、電源プラグが常時ソケットに接続されている。
【０００３】
今日、ソケット毎に節電スイッチがついたものも提供されているが、ソケット毎に電源の切断及び接続を行なうのではその煩に耐えない。
下記特許文献の様に、新築時において、何れかの線を二線に分岐して都合三線を引き出し、分岐した二線の一方を一括して遮断することによって、その煩を解消する手法も紹介されている。即ち、従来の手法は、分電盤からの配線に三線コードを使用し、末端コンセント、又は端末コンセントへ接続延長タップ等に、待機電源維持が可能な通常のソケットと、スイッチで適宜切断し得る省エネ様のソケットを個別に取り付け、二種のソケットを選択的に使用するものである。
【先行技術文献】
【特許文献】
【０００４】
【特許文献１】特開２００６−２０４８８号公報
【特許文献２】特開２００３−５２１１２号公報
【発明の概要】
【発明が解決しようとする課題】
【０００５】
しかし、この様な手法では、コンセント又はタップの限られた筐体の大きさに対して、備え得るソケットの個数が半分近くと少なくなり、今日でも深刻な問題となっている電源ソケット不足が、更に悪化することとなる（特許文献１参照）。また、家庭内配線が、上記の如く三線を引き出されていない場合にあっても、同様の要求を満足することができる手段の要請が強かった。
【０００６】
本発明は、上記実情に鑑みてなされたものであって、比較的簡素な小型の構造で待機電源の維持を要する機器と、待機電源の維持を要しない機器を、その性格に応じて機器毎に異なる回路に接続することが可能であり、且つ待機電源の維持を要しない機器への電力供給を一括遮断することができる構成を有しつつ、更に、ソケット不足を回避できるタップ及びコンセントの提供を目的とする。
【課題を解決するための手段】
【０００７】
上記課題を解決する為になされた本発明によるタップは、複数のソケットを備える単相二線式電源系統のタップである。
このタップは、単相二線式電源系統のソケットに接続する電源プラグを備え、必要に応じて延長ケーブルを備える。
【０００８】
タップの筐体内には、前記電源プラグを介して接続する単相二線のうちの一本に繋がる共用回路を備えると共に、前記電源プラグを介して接続する単相二線のうちの他の一本から二つに分岐した二つの選択回路を備える。
各ソケットは、共用回路に接続した単一の共用端子と、各選択回路に各々接続した二つの選択端子を備え、各ソケットの端子は、共用端子を中央に配置し、その左右両側に選択端子を配置し、各端子の間隔を、電源プラグが備える一対の接続刃の間隔に等しく設定したことを特徴とする。
【０００９】
何れか一方の選択端子に供給する電源を一括して遮断するスイッチを備えるタップとして構成しても良いし、電源プラグとタップ本体の間に延長ケーブルを接続した延長タップとして構成しても良い。
【００１０】
上記課題を解決する為になされた本発明によるコンセントは、複数のソケットを備える単相二線式電源系統のコンセントである。
このコンセントは、タップの筐体内に、単相二線のうちの一本に繋がる共用回路を備えると共に、他の一本を二線に分岐した二つの選択回路を備える。
各ソケットは、共用回路に接続した単一の共用端子と、各選択回路に各々接続した二つの選択端子を備え、各ソケットの端子は、共用端子を中央に配置し、その左右両側に選択端子を配置し、各端子の間隔を、電源プラグが備える一対の接続刃の間隔に等しく設定したことを特徴とする。
【００１１】
筐体内の共用回路及び選択回路に、単相二線を各々接続する引込端子を備える構成としても良い。
また、何れか一方の選択端子に供給する電源を一括して遮断するスイッチを備えるコンセントとしても良い。
【００１２】
更に、筐体の選択端子に通じる端子孔を選択的に封じる蓋を、漏電防止や指し間違え防止対策として付設する場合もある。
また、蓋の替わりに、例えば、前記タップやソケットのいずれかの共用端子及び二つの選択端子と各々連結する共用刃及び選択刃を備えると共に、前記共用刃及びいずれか一方の選択刃と各々接続する二つの端子を有する電源プラグ接続用のソケットを備えた中継タップを用いる場合もある。
この中継タップは、筐体の表面に、ソケットの端子に連結する選択刃の所在（位置や向き）を示す印を備えるべきである。
【００１３】
上記タップやコンセントが備えるソケットである二系統三線式回路のソケット（前記共用回路に接続した単一の共用端子と、各選択回路に各々接続した二つの選択端子を備えるソケット）に接続する共用刃及び二つの選択刃を備えるものであって、共用刃に繋がる共用回路、及び二つの選択刃に各々繋がる二つの選択回路を備えると共に、当該二つの選択回路の間を電気的に導通又は遮断し得るスイッチを備え、並びにそれらを支持する筐体を備える中継スイッチによれば、上記選択回路の遮断された一方を、他方の回路と適宜導通させることができる。
尚、この中継スイッチは、前記筐体内の共用回路、及び二つの選択回路のいずれか一方に、各々接続する単相二線式の端子を有する単数又は複数のソケットを備える構造とすることもできる。
【発明の効果】
【００１４】
本発明によるタップ及びコンセントは、筐体内に共用回路と選択回路を備え、且つ各ソケットの端子として、共用端子を中央に配置し、その左右両側に選択端子を配置し、各端子の間隔を、電源プラグが備える一対の接続刃の間隔に等しく設定したことにより、共用端子と二つの選択端子のうちのいずれか一方の端子を対として構成した二組の系統に繋がる端子対を単一のソケットで構成することができる。
その結果、大きな筐体を要する事無く、数多くの機器について、待機電源の維持を要する機器と、待機電源の維持を要しない機器を、その性格に応じて分別して二つの系統にまとめることができ、そのうちの一系統に属する端子対について電源の供給及び遮断を一括して行なうスイッチを付設すれば、スイッチを付設した系統を待機電源遮断用系統とし、スイッチを付設しない系統を待機電源維持用系統として一括管理することができる。
また、単相二線を引き入れる電源プラグや、単相二線を接続する引込端子を備えることによって、新築時において、何れかの線を二線に分岐して都合三線を引き出さなくとも、コンセントを付設する際の接続工事、又はタップの接続によって、比較的容易に、上記の如く一括管理することができる。
【００１５】
本発明による中継タップを使用すれば、共用刃と二つの選択刃を備える電源プラグをソケットに接続することによって、使用しない端子孔が封じられ、その端子孔に異物が入り込む等による短絡事故や漏電事故を防止することができ、更に、二つの選択刃の一方が開放状態にある回路構成とし、いずれが開放状態にある選択刃であるかを示す印を備えることによって、所望の系統に選択する際の挿し間違えも防止できることとなる。
【図面の簡単な説明】
【００１６】
【図１】本発明によるコンセントの一例を示す斜視図である。
【図２】本発明によるコンセント及びタップに内蔵される電気回路の例を示す回路図である。
【図３】本発明によるタップの一例を示す（Ａ）：表面から見た斜視図、（Ｂ）：裏面から見た斜視図、（Ｃ）：内部の回路図である。
【図４】本発明によるコンセントの一例を示す正面図である。
【図５】本発明によるタップの一例を示す正面図である。
【図６】本発明による中継スイッチの一例を示す電気回路図である。
【図７】本発明による（Ａ）：中継スイッチ及び（Ｂ）：タップの一例を示す説明図である。
【図８】本発明によるタップ及びコンセントを用いた実施態様図である。
【図９】本発明によるタップ及びコンセントを用いた家庭内配線の実施態様図である。
【発明を実施するための形態】
【００１７】
以下、本発明によるタップ及びコンセント（以下コンセント等と記す）並びにそれを利用した配線の実施の形態を図面に基づき説明する。
図１及び図４に示す実施の形態は、複数のソケット１を備える単相二線式電源系統のコンセントであり、図５に示す実施の形態は、複数のソケット１を備える単相二線式電源系統タップである。
【００１８】
図１及び図４に示す実施の形態は、電気回路２と、それを支持し絶縁保護する筐体３とで構成される。
本実施の形態の電気回路２は、コンセント等の外の屋内配線、又はコンセント等の内部に引き込んだ単相二線式系統から、共用回路２ａと選択回路２ｂ，２ｃを形作ったものである（以下この操作を二系統三線化とし形作られた回路を二系統三線式回路と記す）。即ち、単相二線式系統を構成する一本を共用回路２ａとし、他の一本を二本の支分線に分岐し、各々を二つの選択回路２ｂ，２ｃとする（図２(Ａ)参照）。
【００１９】
共用回路２ａは、複数の共用端子４ａを備え、両選択回路２ｂ，２ｃは、各々共用回路２ａと同数の選択端子４ｂ，４ｃを備える。各ソケット１は、一つの共用端子４ａと二つの選択端子４ｂ，４ｃを一組として備え、各ソケット１について、共用端子４ａを中央に配置し、その左右両側に選択端子４ｂ，４ｃを配置し、各端子４ａ，４ｂ，４ｃの間隔を、家電製品の電源プラグが備える一対の接続刃の間隔に等しく設定する（二系統三線式回路のソケット）。
【００２０】
その結果、共用回路２ａに接続した単一の共用端子４ａと、各選択回路２ｂ，２ｃに各々繋がる二つの選択端子４ｂ，４ｃを有するソケット１に接続される複数の電気機器は、単一の共用回路２ａと、いずれかの選択回路２ｂ又は２ｃを組とする二組の単相二線系統のうちのいずれかに並列に接続されることとなる。
【００２１】
上記何れか一方の選択回路２ｂ又は２ｃに、その選択端子４ｂ又は４ｃに供給する電源を一括して遮断するスイッチ５を備えれば、当該選択回路２ｂ又は２ｃに接続した電気機器の電源供給を一括して遮断することができる。
【００２２】
〔コンセントについて〕
コンセント内部の電気回路２において単相二線式系統を二系統三線化する場合には、電気回路２に、単相二線式系統を電気回路２に引き込む引込端子２ｄを一対設け、当該引込端子２ｄから延出する電極を二股に分岐させ二つの選択回路２ｂ，２ｃを構成すると共に、引込端子２ｄから延出する共有回路２ａ及び選択回路２ｂ，２ｃを筐体３に固定する。
スイッチ５は、例えば、コンセントの筐体３に固定し、一方の選択回路２ｂ又は２ｃの、分岐点２ｅと、当該分岐点２ｅに最も近い選択端子４ｂ又は４ｃとの間の領域に挿入接続することによって、当該選択回路２ｂ，２ｃに対する電源の接続及び遮断の効果を全域にわたって及ぼすことができる。
【００２３】
コンセント外の屋内配線において単相二線式系統を二系統三線化する場合には（図２（Ｂ）及び図９参照）、電気回路に、単相二線式系統の一本である共用線路６ａと、他の一本を分岐させた選択線路６ｂ，６ｃを引き込む引込端子２ｄ，２ｄ，２ｄを設け、当該引込端子２ｄ，２ｄ，２ｄから延出する一本の共有回路４ａ及び二本の選択回路２ｂ，２ｃを筐体３に固定する。
スイッチ５は、例えば、コンセントの筐体３に固定するか、或いは、屋内の壁面に固定し、一方の選択線路６ｂ又は６ｃを引き込んだ引込端子２ｄと、当該引込端子２ｄに最も近い選択端子４ｂ又は４ｃとの間の領域に挿入接続することによって、コンセント内の選択回路２ｂ又は２ｃに対する電源の接続及び遮断の効果を全域にわたって及ぼすことができる。
【００２４】
本実施の形態の筐体３は、箱状のフロントボックスをリアボックスで封じる構造を有する。
フロントボックスは、複数のソケット１を構成する端子孔７と、操作孔８を備え、必要に応じて一方の選択回路４ｂ又は４ｃに挿入接続されたスイッチ５の固定孔（図示省略）を備える。
【００２５】
端子孔７は、共用端子４ａに向き合う共用孔７ａを中央に配置し、その左右両側に選択端子４ｂ，４ｃに向き合う選択孔７ｂ，７ｃを配置したものであって、且つ各孔７ａ，７ｂ，７ｃの間隔を、電気機器の電源プラグが備える一対の接続刃の間隔に等しく設定したものである。
【００２６】
尚、必要に応じて、共用孔７ａと選択孔７ｂ，７ｃのサイズに大小の差を設けても良いし、各ソケット１が有する二つの選択孔７ｂ，７ｃを選択的に閉鎖すべく左右に摺動するスライド蓋９を付設しても良い（図１参照）。
【００２７】
スライド蓋９は、例えば、共用孔７ａと一方の選択孔７ｂ又は７ｃを開放し得る長さと幅の窓９ａを有し、且つその際、他方の選択孔７ｃ又は７ｂを閉じ得る長さと幅の閉鎖板９ｂを有し、操作孔８の裏面上下の縁に付設した移動ガイド（図示省略）に装着する。移動ガイドは、スライド蓋９の摺動軌道を挟む様に存在し、スライド蓋９の進退は、その移動ガイド及びその始終端に有するストッパ（図示省略）で規制される。
【００２８】
操作孔８は、スライド蓋９を開閉操作するための摘み１０が移動するガイドとなる長孔である。
スライド蓋９を操作するための摘み１０は、スライド蓋９の表面から突出し、操作孔８を通過して、筐体３の表面側へ操作に便宜な高さだけ突出する。
【００２９】
リアボックスは、複数のソケット１を構成する共用端子４ａと選択端子４ｂ，４ｃを含む共用回路２ａ及び選択回路２ｂ，２ｃからなる電気回路（電極を含む導体金属、回路基板、又は電線の何れであっても良い。）２を支持するものである。
【００３０】
〔タップについて〕
タップとして構成する場合は、電気回路２及びそれを支持し絶縁保護する筐体３に加え、コンセント又はタップが備えるソケット１、即ち、単相二線式電源系統のソケット（二線ソケット）、又は単相二線式電源系統を上記の如く二系統三線化して引き出したソケット（二系統三線式ソケット）に接続する電源プラグを備えて構成される。
【００３１】
電気回路２及び筐体３は、上記コンセントと同様であり、筐体３は、移設可能なタップであることを考慮して、上記コンセントの筐体３よりも密閉性及びフロントパネルとリアパネルと組立強度が高められている。
電源プラグは、筐体３と一体的に取り付けても良いし、延長ケーブル１１を介して別体として備えても良い。電源プラグの共用刃１４ａ，及び選択刃１４ｂ，１４ｃから引き出された延長ケーブル１１は、前記引込端子２ｄを経て共用回路２ａ及び選択回路２ｂ，２ｃに接続する（図２（Ｃ）参照）。
【００３２】
上記実施の形態の筐体３は、その表面に、待機電源遮断用系統と、待機電源維持用系統との選択を容易にすべく、エコ表示が印２２として施されている。当該表示の真下に位置する端子孔７へ電源プラグを差し込むことによって、待機電源遮断用系統にその電気機器を接続することとなり、その際、電源プラグを差し込む側とは逆の方向へ摘み１０を移動させることによって、電源プラグが差し込まれない端子孔７をスライド蓋９で封じることができる。尚、ここで、待機電源遮断用系統とは、スイッチで遮断できる選択回路２ｂ又は２ｃと共用回路２ａとの組み合わせによる系統であり、待機電源維持用系統とは、スイッチで遮断できない選択回路２ｃ又は２ｂと共用回路２ａとの組み合わせによる系統である。
【００３３】
〔中継タップについて〕
コンセント等に端子孔７を封じる蓋を設けない場合には、家電製品の電源プラグとソケットの間に、端子孔７，７，７の全てを封じ、且つ待機電源維持系統と待機電源遮断系統を挿し分ける際の方向性を明確に表示した中継タップを介在させることによって、短絡事故や漏電事故及び挿し間違えを防止することができる（図３参照）。
【００３４】
その中継タップとは、上記タップ又はコンセントのソケット１に接続する中継タップであって、筐体１３と電気回路１２とからなる（図３（Ｃ）参照）。
筐体１３は、その底板に、上記タップ又はコンセントの共用端子４ａ及び二つの選択端子４ｂ，４ｃと連結する共用刃１４ａ及び選択刃１４ｂ，１４ｃを備え、その側板に電源プラグ１７を接続すべく、前記共用刃及びいずれか一方の選択刃１４ｂ又は１４ｃと接続する二つの電源端子１５，１５を有するソケット１８を備える。
【００３５】
共用刃１４ａ及び選択刃１４ｂ，１４ｃは、筐体１３の長手方向に沿って一列に並べて配置し、共用刃１４ａを中央に配置し、その左右両側に選択刃１４ｂ，１４ｃを配置し、共用刃１４ａ，及び選択刃１４ｂ，１４ｃの各接続刃の間隔を、電源プラグが備える一対の接続刃の間隔に等しく設定する。
【００３６】
筐体１３の表板には、中継タップを接続するソケット１の端子４ａ，４ｂ又は４ｃに連結する選択刃（有効選択刃）１４ｂ又は１４ｃの所在を示す印２２を表示する。即ち、裏板における有効選択刃１４ｂ又は１４ｃの存在領域の表側に印２２を表示するものであって、本実施の形態では矢印を表示する。尚、筐体１３における、共用刃１４ａ及び選択刃１４ｂ，１４ｃ、並びに電源プラグを設ける面の選択は、使用態様に応じて適宜変更可能である。
【００３７】
〔中継スイッチについて〕
電源供給を一括遮断し得るスイッチのついていないタップを使用する場合にあっては、その接続元となるコンセント等との間に中継スイッチを介在することによって、屋内配線に手を加えることなくスイッチを付設することができる（図５及び図６参照）。
【００３８】
中継スイッチは、スイッチ５を固定した筐体１６，１９，１３とその内部に支持する電気回路２とで構成する。
第一の実施の形態は、三線を引き入れて三線を引き出すものであり（図６（Ａ）参照）、第二の実施の形態は、単相二線を引き入れて三線を引き出すものであり（図６（Ｂ）参照）、第三の実施の形態は、前記中継タップの選択刃１４ｂ又は１４ｃの一方と、二つの端子１５，１５の一方の間にスイッチ５を介在したものである（図５及び図６（Ｃ）参照）。
【００３９】
第一の実施の形態の筐体１６は、その底板に、上記コンセント等の共用端子４ａ及び二つの選択端子４ｂ，４ｃと連結する共用刃１４ａ及び選択刃１４ｂ，１４ｃを、筐体１６と一体化した電源プラグとして備え、その側板に、前記共用刃１４ａ及び選択刃１４ｂ，１４ｃと共有回路２ａ及び選択回路２ｂ，２ｃを介して接続する共用端子４ａ及び選択端子４ｂ，４ｃを有する電源プラグ接続用のソケット１８を備える。
電源プラグの共用刃１４ａ及び選択刃１４ｂ，１４ｃは、筐体１６の長手方向に沿って一列に並べて配置し、それらに接続するソケット１８の共用端子４ａ及び選択端子４ｂ，４ｃは、筐体１６の幅方向に沿って一列に並べて配置する。共用刃１４ａ及び選択刃１４ｂ，１４ｃの配置は、共用刃１４ａを中央に配置し、その左右両側に選択刃１４ｂ，１４ｃを配置するものとし、共用刃１４ａ，及び選択刃１４ｂ，１４ｃの各接続刃の間隔を、電源プラグが備える一対の接続刃の間隔に等しく設定する。
【００４０】
第二の実施の形態の筐体１９は、その底板に、単相二線系統のコンセント等のソケットの端子と連結する二つの接続刃２０，２０を備え、その側板に、前記二つの接続刃２０，２０の一方から引き出した共用回路２ａ、及び二つの接続刃２０，２０の他方から二本引き出した二つの選択回路２ｂ，２ｃと接続する共用端子４ａ及び選択端子４ｂ，４ｃを有する電源プラグ接続用のソケット２１を備える。
二つの接続刃２０，２０は、筐体１９の長手方向に沿って一列に並べて配置し、それらに接続するソケット２１の共用端子４ａ及び選択端子４ｂ，４ｃは、筐体１９の幅方向に沿って一列に並べて配置する。二つの接続刃２０，２０の配置は、二つの接続刃２０，２０の間隔を、電源プラグが備える一対の接続刃の間隔に等しく設定する。
【００４１】
第一の実施の形態及び第二の実施の形態の筐体の表板には、ともにスイッチ５をその操作部を露出する態様で固定する。スイッチ５により開閉する接点は、ともに選択回路２ｂ又は２ｃのいずれかに挿入接続し、操作部によって当該選択回路２ｂ又は２ｃの開閉を行なう。尚、共用端子４ａ及び選択端子４ｂ，４ｃの配置は、共用端子４ａを中央に配置し、その左右両側に選択端子４ｂ，４ｃを配置するものとし、各共用端子４ａ及び二つの選択端子４ｂ，４ｃの間隔を、電源プラグが備える一対の接続刃の間隔に等しく設定する。筐体１６又は１９における、共用刃１４ａ及び選択刃１４ｂ，１４ｃ、若しくは接続刃２０，２０、及びにソケット１８又は２１を設ける面の選択は、使用態様に応じて適宜変更可能である。
【００４２】
以上の如く構成された中継スイッチによれば、既存のタップ又はコンセントと、上記タップ又はコンセントの間に、待機電源遮断系統への電源の供給又は遮断を行なうスイッチ５を大掛りな改造を行なうことなく介在させることができる。
【００４３】
一方、オフィスなど複数の従業員が電源を共有する場（以下オフィス等と記す）では、電源を一括遮断することが必ずしも要請されない場合も考えられる。
即ち、上記発明を利用すれば、オフィス等では、電力需要ピーク時に、特に常時電源を供給する必要のない電気製品を予め系統を別にしたコンセントで使用し、ピーク時の節電が必要な際に一括して切断することもできる。
例えば、上記手動のスイッチ５に替えて、自動制御用のリレースイッチ等を用い、タイマ等の計時ユニット等を備えるコントローラで、自動的に一定時間節電する様に、待機電源遮断系統への電源の供給又は遮断を司るスイッチを制御する手法を採ることができる。
【００４４】
しかし、その様にオフィス電源の遮断を含む自動制御が為されると、節電時間中における業務に支障が生じるという問題がある。
上記本発明によるコンセント及びタップ並びに二系統三線式の屋内配線を用いた自動制御の利用による上記問題に鑑み、接続する機器の内部バッテリーの稼働能力の相異や、オフィスの環境及び業務の相異に対応して、待機電源遮断系統への電源供給の遮断を無効とできる、二系統再統合用のスイッチ又はタップを併用することが好ましい。
【００４５】
図７及び図８に示す例は、二系統再統合用の中継スイッチ及びタップの一例を示したものである。
これらの例は、共用回路２ａ、及び選択回路２ｂ，２ｃにつながる共用端子４ａ、及び選択端子４ｂ，４ｃに接続するための、共用刃２５ａ、及び選択刃２５ｂ，２５ｃを備え、両選択刃２５ｂ,２５ｃの間にスイッチ２３の接点を備えたものである。これらの中継スイッチ又はタップをソケット１に差し込みスイッチ２３の接点２４，２４が閉じられることで、上記二系統三線式回路の選択回路２ｂ，２ｃが相互に導通し（再統合）、選択端子４ｂ，４ｃのいずれを選択した系統であろうとも、電源供給の遮断操作を無効とできる。
【００４６】
上記構成をスイッチ２３による統合機能を有する中継スイッチとしての共通の構成として、筐体内の共用回路２６ａと、選択回路２６ｂ又は２６ｃから単相二線式のソケットの端子２７，２７に接続すれば、スイッチ２３による統合機能を有する中継タップの機能も持つこととなる（図７（Ｂ）参照）。
【００４７】
その他、中継スイッチ筐体内の共用回路２６ａと、選択回路２６ｂ、２６ｃから、二系統三線式回路のケーブル２８を引き出して、複数の単相二線式のソケットを備えた他の筐体内の二系統三線式回路に接続し、各ソケットの端子を、当該二系統三線式回路の共用回路及び選択回路のいずれか一方を組とした二つの系統に適宜並列に接続すれば、単相二線式のソケット複数具備する図７（Ａ）及び図８に示す様な延長タップの機能も持つこととなる。尚、中継スイッチ筐体内の共用回路２６ａと、選択回路２６ｂ又は２６ｃから引き出すケーブルは、単相二線式のケーブルでも良く、スイッチは、手動スイッチに限らず、制御装置により接点の開閉を制御するスイッチでも良い。
【符号の説明】
【００４８】
１  ソケット，
２  電気回路，
２ａ  共用回路，２ｂ  選択回路，２ｃ  選択回路，２ｄ  引込端子，２ｅ  分岐点，
３  筐体，
４ａ  共用端子，４ｂ  選択端子，４ｃ  選択端子，
５  スイッチ，
６ａ  共用線路，６ｂ  選択線路，６ｃ  選択線路， 
７  端子孔，７ａ  共用孔，７ｂ  選択孔，７ｃ  選択孔,
８  操作孔， 
９  スライド蓋，９ａ  窓，９ｂ  閉鎖板，
１０  摘み，１１  延長ケーブル，
１２  電気回路，１３  筐体，
１４ａ  共用刃，１４ｂ  選択刃，１４ｃ  選択刃，
１５  電源端子，
１６  筐体，１７  電源プラグ，１８  ソケット，
１９  筐体，２０  接続刃，２１  ソケット，
２２  印，
２３  スイッチ、２４  接点，
２５ａ  共用刃，２５ｂ  選択刃，２５ｃ  選択刃，
２６ａ  共用回路，２６ｂ  選択回路，２６ｃ  選択回路，
２７  端子，２８  ケーブル，
【図１】
2011234460.tif 000003
【図２】
2011234460.tif 000004
【図３】
2011234460.tif 000005
【図４】
2011234460.tif 000006
【図５】
2011234460.tif 000007
【図６】
2011234460.tif 000008
【図７】
2011234460.tif 000009
【図８】
2011234460.tif 000010
【図９】
2011234460.tif 000011